(57)【要約】【課題】遊技機用装飾構造物を構成する複数の構成部品の、組み付け作業性および分解作業性の向上を図る。【解決手段】遊技盤２６の表面に垂直な方向に複数の構成部品３１〜３６を積層してなるセンター役物３０であって、複数の構成部品３１〜３６のうち積層方向の最も手前側に位置する手前側構成部品３６に、最も奥側に位置する奥側構成部品３１に向けて延びるボス部３６ａを設け、奥側構成部品３１および手前側構成部品３６以外の中間構成部品３２〜３５と、奥側構成部品３１とには、ボス部３６ａが挿入される挿入穴３１ｈ，３２ｈ，３４ｈ，３５ｈを形成する。そして、ボス部３６ａ先端に形成された溝部Ｍに止め輪３７を組み付けることで、奥側構成部品３１および中間構成部品３２〜３５を、手前側構成部品３６と止め輪３７とで挟み込むように組み付ける。【選択図】        図３
2006000130.tif 000002
【特許請求の範囲】
【請求項１】
遊技機の遊技盤に取り付けられ、前記遊技盤の表面に垂直な方向に複数の構成部品を積層してなる遊技機用装飾構造物であって、
前記複数の構成部品のうち積層方向の最も奥側に位置する構成部品を奥側構成部品とし、
前記複数の構成部品のうち積層方向の最も手前側に位置する構成部品を手前側構成部品とし、
前記複数の構成部品のうち前記奥側構成部品および前記手前側構成部品以外の構成部品を中間構成部品とした場合において、
前記手前側構成部品に、前記奥側構成部品に向けて延びるボス部を設け、
前記奥側構成部品および前記中間構成部品には、前記ボス部が挿入される挿入穴又は挿入溝を形成し、
前記ボス部の先端にストッパー部材を組み付けることで、前記奥側構成部品および前記中間構成部品を、前記手前側構成部品と前記ストッパー部材とで挟み込むように組み付けられていることを特徴とする遊技機用装飾構造物。
【請求項２】
前記中間構成部品が複数であることを特徴とする請求項１に記載の遊技機用装飾構造物。
【請求項３】
前記複数の中間構成部品のうち１つの構成部品には、遊技者に向けて光を出射する光源が備えられており、
前記複数の中間構成部品のうち他の構成部品には、前記光源の光を屈折させながら透過するレンズ部が備えられていることを特徴とする請求項２に記載の遊技機用装飾構造物。
【請求項４】
前記手前側構成部品は樹脂製であり、
前記ボス部は前記手前側構成部品に樹脂にて一体に成形されていることを特徴とする請求項１ないし３のいずれか１つに記載の遊技機用装飾構造物。
【請求項５】
前記手前側構成部品は樹脂製、前記ボス部は金属製であり、
前記手前側構成部品を樹脂成形するにあたり前記ボス部をインサート成形することで、前記ボス部は前記手前側構成部品に一体に成形されていることを特徴とする請求項１ないし３のいずれか１つに記載の遊技機用装飾構造物。
【発明の詳細な説明】
【技術分野】
【０００１】
本発明は、パチンコ、スロットルその他の遊技機が有する遊技盤に取り付けられた、遊技機用装飾構造物に関するものである。
【背景技術】
【０００２】
従来、この種の遊技機用装飾構造物は、特許文献１にて記載されているように、遊技盤面に垂直な方向に積層配置された複数の構成部品１，２，３ａ，３ｂ，４ａ，４ｂ，５，６，７，８ａ，８ｂ，９，１０ａ，１０ｂ，１０ｃ，１１，１２から構成されている（図６参照）。そして、各構成部品どうしは複数のビス１６により結合されている。
【０００３】
【特許文献１】特開２００２−８５６４８号公報
【発明の開示】
【発明が解決しようとする課題】
【０００４】
しかしながら、近年では、デザインの複雑化に伴って構成部品の数が多くなってきたため必要とするビス１６の数も増大しており、これらのビス１６を手作業で１つ１つ締め付ける作業は極めて効率が悪い。因みに、図６に記載の例では、ビス１６が約６０個も必要となる。
【０００５】
また、遊技機を分別して廃棄処分するにあたり、遊技機用装飾構造物を分解すべく、これらのビス１６を手作業で１つ１つ取り外す作業も効率の悪い作業となっている。
【０００６】
本発明は、上記点に鑑み、遊技機用装飾構造物を構成する複数の構成部品の、組み付け作業性および分解作業性の向上を図ることを目的とする。
【課題を解決するための手段】
【０００７】
上記目的を達成するため、請求項１に記載の発明では、
遊技機の遊技盤に取り付けられ、前記遊技盤の表面に垂直な方向に複数の構成部品を積層してなる遊技機用装飾構造物であって、
前記複数の構成部品のうち積層方向の最も奥側に位置する構成部品を奥側構成部品とし、
前記複数の構成部品のうち積層方向の最も手前側に位置する構成部品を手前側構成部品とし、
前記複数の構成部品のうち前記奥側構成部品および前記手前側構成部品以外の構成部品を中間構成部品とした場合において、
前記手前側構成部品に、前記奥側構成部品に向けて延びるボス部を設け、
前記奥側構成部品および前記中間構成部品には、前記ボス部が挿入される挿入穴又は挿入溝を形成し、
前記ボス部の先端にストッパー部材を組み付けることで、前記奥側構成部品および前記中間構成部品を、前記手前側構成部品と前記ストッパー部材とで挟み込むように組み付けられていることを特徴とする。
【０００８】
また、請求項２に記載の発明では前記中間構成部品が複数であることを特徴とし、請求項３に記載の発明では、前記複数の中間構成部品のうち１つの構成部品には、遊技者に向けて光を出射する光源が備えられており、前記複数の中間構成部品のうち他の構成部品には、前記光源の光を屈折させながら透過するレンズ部が備えられていることを特徴とする。
【０００９】
また、請求項４に記載の発明では、前記手前側構成部品は樹脂製であり、前記ボス部は前記手前側構成部品に樹脂にて一体に成形されていることを特徴とし、請求項５に記載の発明では、前記手前側構成部品は樹脂製、前記ボス部は金属製であり、前記手前側構成部品を樹脂成形するにあたり前記ボス部をインサート成形することで、前記ボス部は前記手前側構成部品に一体に成形されていることを特徴とする。
【発明の効果】
【００１０】
請求項１に記載の発明によれば、挿入穴又は挿入溝にボス部を挿入させつつ、奥側構成部品、中間構成部品および手前側構成部品を積層配置し、その後、ボス部の先端にストッパー部材を組み付けるだけで各構成部品の組み付けが終了するので、各構成部品を組み付ける作業性を向上できる。また、遊技機用装飾構造物を分解する際においても、ボス部の先端からストッパー部材を取り外し、その後、挿入穴又は挿入溝からボス部を抜き取るだけで遊技機用装飾構造物を分解できるので、遊技機用装飾構造物を分解する作業性を向上できる。
【００１１】
ここで、中間構成部品の１つに光源が備えられ、他の中間構成部品にレンズ部が備えられている場合等、遊技機用装飾構造物の装飾性向上を図るようにすると中間構成部品の数が増大せざるを得なくなってくる。そして、このように中間構成部品の数が増大すると、各構成部品どうしを複数のビス１６で結合する従来の構造ではビス１６の数がより一層多くなってしまう。そこで、請求項２，３に記載の発明の如く、中間構成部品が複数である場合に請求項１に記載の発明を適用すれば、構成部品の組み付け作業性および分解作業性の向上といった効果が、より効果的に発揮される。
【００１２】
請求項４に記載の発明によれば、手前側構成部品にボス部を設けることを安価に実現できる。また、請求項５に記載の発明によれば、ボス部を樹脂製にした場合に比べてボス部の強度を高めることができるので、ボス部を長くせざるを得ない場合等、ボス部に高い強度が求められる場合に用いて好適である。
【発明を実施するための最良の形態】
【００１３】
以下、本発明の各実施形態を図に基づいて説明する。尚、本発明の実施の形態は、下記の各実施形態に何ら限定されるものではなく、本発明の技術的範囲に属する限り種々の形態を採り得ることは無論である。
【００１４】
本実施形態では、弾球遊技機の遊技盤に取り付けられた表示装飾枠体（以下、センター役物と呼ぶ）に、本発明の遊技機用装飾構造物を適用させた一例であり、図１に示す通り、該弾球遊技機２０は、前面枠２１、機枠２２、操作ハンドル２３、上皿２４、下皿２５、遊技盤２６、板ガラス２７、表示装置２８、センター役物３０等から構成される。表示装置２８は、遊技盤２６の中央に配置されて３つの特別図柄を変動表示させる特別図柄表示装置を構成する。
【００１５】
図２はセンター役物３０単体を示す斜視図であり、センター役物３０は、遊技盤２６の略中央部分に取り付けられ、表示装置２８を取り囲むように延びる環状に形成された装飾構造物として機能する。また、センター役物３０は、遊技内容に応じて電飾表示態様を変化させることで、遊技者の興趣を高めるものである。
【００１６】
図３は図２の分解斜視図、図４は図２の側面図、図５は図２の背面図であり、以下、センター役物３０の構造について詳細に説明する。なお、図４では、後述する止め輪３７の図示を省略している。
【００１７】
図２乃至図５に示すように、センター役物３０は、遊技盤２６の表面に垂直な方向に複数の構成部品３１，３２，３３，３４，３５，３６を積層して構成されている。符号３１に示す構成部品は裏板であり、複数の構成部品３１〜３６のうち遊技者から見て最も奥側（図４の右側）に位置し、特許請求の範囲に記載の奥側構成部品に相当する。また、裏板３１は樹脂製であり、センター役物３０の強度部材として機能する。また、裏板３１の開口部３１ａ内には表示装置２８の表示面が位置する。
【００１８】
符号３２に示す構成部品は基板であり、この基板３２には、発光ダイオード等の図示しない光源が実装されている。この光源は、遊技者に向けて光が出射される向きとなるように配置されており、遊技内容に応じて点灯或いは点滅するように駆動制御されている。光源には、異なる色に発光する複数種の発光素子を備えたものを採用してもよく、また、発光輝度を段階的に調節可能なものを採用してもよい。なお、本実施形態の基板３２は、エポキシ樹脂基板にプリント配線を施してなるリジッド基板である。
【００１９】
符号３３に示す構成部品はステージであり、遊技盤上を流下する遊技球のうちセンター役物３０内に流入した遊技球がステージ３３の上面３３ａに流下するようになっている。そして、ステージ上面３３ａにて左右に揺れ動く遊技球は、ステージ３３の奥側に落下して裏板３１に設けられた流入口３１ｂに入球するか、図２中の矢印Ａに示すようにステージ３３の手前側に落下して遊技盤２６上を流下することとなる。また、ステージ３３は樹脂製であり、前述した光源からの光を透過する透光性の樹脂を用いたレンズ部を有する。このレンズ部により、光源の光を屈折させながら透過させることで、装飾性の向上を図っている。
【００２０】
符号３４に示す構成部品は台板であり、この台板３４と裏板３１とで基板３２およびステージ３３を狭持させており、台板３４はセンター役物３０の強度部材として機能している。また、台板３４には締結部３４ａが設けられており、この締結部３４ａを遊技盤２６にビス等を用いて締結することで、センター役物３０を遊技盤２６に取り付け固定するようになっている。
【００２１】
また、台板３４は樹脂製であり、前述した光源からの光を透過する透光性の樹脂を用いたレンズ部を有する。このレンズ部により、光源の光を屈折させながら透過させることで、装飾性の向上を図っている。また、台板３４には、裏板３１の流入口３１ｂと連通する流出口３４ｂが設けられており、ステージ上面３３ａから流入口３１ｂに流入した遊技球は流出口３４ｂから遊技盤２６上に流下する。
【００２２】
符号３５に示す構成部品はレンズであり、前述した光源からの光を透過する透光性の樹脂製であり、光源の光を屈折させながら透過させることで、装飾性の向上を図っている。なお、以上説明した基板３２、ステージ３３、台板３４およびレンズ３５は、特許請求の範囲に記載の中間構成部品に相当する。
【００２３】
符号３６に示す構成部品は複数の小物部品であり、複数の構成部品３１〜３６のうち遊技者から見て最も手前側（図４の左側）に位置し、特許請求の範囲に記載の手前側構成部品に相当する。また、小物部品３６は樹脂製であり、文字、図形、記号等を表す外形形状に形成されている。なお、小物部品３６にも透光性の樹脂を採用して装飾性の向上を図るようにしてもよい。
【００２４】
図３に示すように、小物部品３６には、裏板３１に向けて延びるボス部３６ａが設けられている。本実施形態のボス部３６ａは金属製であり、小物部品３６を樹脂成形するにあたりボス部３６ａをインサート成形することで、ボス部３６ａは小物部品３６に一体に成形されている。
【００２５】
また、図３に示すように、裏板３１、基板３２、ステージ３３、台板３４およびレンズ３５のそれぞれには、ボス部３６ａが挿入される挿入穴３１ｈ，３２ｈ，３４ｈ，３５ｈが形成されている。そして、ボス部３６ａの先端に形成された溝部Ｍに、ストッパー部材としての止め輪を組み付けることで、裏板３１、基板３２、ステージ３３、台板３４およびレンズ３５を、小物部品３６と止め輪３７とで挟み込むように組み付けられている。これにより、各構成部品３１〜３６を一体に組み付けて１つのアッセンブリーとしてセンター役物３０を構成している。すなわち、各構成部品３１〜３６同士は、積層方向に対して垂直な方向には、ボス部３６ａが挿入穴３１ｈ，３２ｈ，３４ｈ，３５ｈの内壁に当接することで位置決めされ、積層方向に対しては小物部品３６と止め輪３７とで構成部品３１〜３５を挟み込むことで位置決めされる。
【００２６】
なお、本実施形態の止め輪３７には、ボス部３６ａの軸線と直角方向から溝部Ｍにはめ込むＥ形（日本工業規格ＪＩＳＢ２８０４参照）を採用しているが、軸線方向からはめ込むＣ形を採用してもよいことは勿論である。また、ストッパー部材は止め輪に限られるものではなく、例えば、プッシュナット等のワンタッチで取り付けることのできるナットや、割ピン等を採用してもよい。
【００２７】
また、図３に示すように、台板３４にも、小物部品３６に形成されたボス部３６ａと同様のボス部３４ｃが形成されており、裏板３１、基板３２およびステージ３３には、ボス部３４ｃが挿入される挿入穴３１ｉ，３２ｉ，３３ｉが形成されている。そして、ボス部３４ｃの先端に形成された溝部Ｍに前述した止め輪３７を組み付けることで、裏板３１、基板３２、ステージ３３を台板３４と止め輪３７とで挟み込むように組み付けられている。
【００２８】
以上により、本実施形態によれば、挿入穴３１ｈ，３２ｈ，３４ｈ，３５ｈ，３１ｉ，３２ｉ，３３ｉに小物部品３６のボス部３６ａおよび台板３４のボス部３４ｃを挿入させつつ、裏板３１、基板３２、ステージ３３、台板３４、レンズ３５および小物部品３６を積層配置し、その後、各々のボス部３６ａ，３４ｃの溝部Ｍに止め輪３７を組み付けるだけで、各構成部品３１〜３６の組み付けが終了するので、各構成部品３１〜３６を組み付ける作業性を向上できる。なお、このように組み付けられてアッセンブリー化されたセンター役物３０は、遊技盤２６の中央部分に形成された開口部にはめ込まれ、台板３４の締結部３４ａをビスにて遊技盤２６に締結することで、センター役物３０の遊技盤２６への取り付けが完了する。
【００２９】
また、弾球遊技機２０を分別して廃棄処分する際には、先ず、締結部３４ａのビスを取り外してセンター役物３０を遊技盤２６の開口部から取り出し、その後、センター役物３０を分解する。この分解作業の際においても、各々のボス部３６ａ，３４ｃから止め輪３７を取り外し、その後、挿入穴３１ｈ，３２ｈ，３４ｈ，３５ｈ，３１ｉ，３２ｉ，３３ｉからボス部３６ａ，３４ｃを抜き取るだけで、センター役物３０を分解できるので、センター役物３０を分解する作業性を向上できる。
【００３０】
（他の実施形態）
本発明に係る他の実施形態として、各構成部品３１〜３５の外周縁部に切り欠いた形状の挿入溝を形成し、この挿入溝にボス部３６ａ，３４ｃを挿入するようにして、上記実施形態の挿入穴３１ｈ，３２ｈ，３４ｈ，３５ｈ，３１ｉ，３２ｉ，３３ｉを挿入溝に置き換えるようにしてもよい。
【００３１】
また、上記実施形態では、ボス部３６ａ，３４ｃを金属製にして小物部品３６および台板３４にインサート成形しているが、本発明の実施にあたり、ボス部３６ａ，３４ｃを樹脂製にして、小物部品３６および台板３４と樹脂にて一体に成形するようにしてもよい。なお、このようにボス部３６ａ，３４ｃを樹脂製にした場合には、透光性樹脂を用いることにより、ボス部３６ａ，３４ｃが光源の影となってしまうことを回避できるので、センター役物３０に対するボス部３６ａ，３４ｃの配置レイアウトの自由度を向上させることができる。
【００３２】
また、上記実施形態では、第１種の弾球遊技機２０のセンター役物３０に本発明の装飾構造物を適用させているが、本発明は第１種弾球遊技機２０への適用に限られるものではなく、例えば、第３種の弾球遊技機における大入賞口として機能しているセンター役物に、本発明の装飾構造物を適用してもよい。
【図面の簡単な説明】
【００３３】
【図１】本発明の一実施形態に係るセンター役物３０が取り付けられる、弾球遊技機２０の正面図である。
【図２】図１のセンター役物３０単体を示す斜視図である。
【図３】図２のセンター役物３０を示す分解斜視図である。
【図４】図２のセンター役物３０を示す側面図である。
【図５】図２のセンター役物３０を示す背面図である。
【図６】特許文献１に記載の遊技機用装飾構造物を示す、分解斜視図である。
【符号の説明】
【００３４】
２０…弾球遊技機    ２６…遊技盤    ３０…センター役物（遊技機用装飾構造物）
３１…裏板（奥側構成部品）    ３１ｈ，３２ｈ，３４ｈ，３５ｈ…挿入穴
３２…基板（中間構成部品）    ３３…ステージ（中間構成部品）
３４…台板（中間構成部品）    ３５…レンズ（中間構成部品）
３６…小物部品（手前側構成部品）    ３６ａ…ボス部
３７…止め輪（ストッパー部材）
【図１】
2006000130.tif 000003
【図２】
2006000130.tif 000004
【図３】
2006000130.tif 000005
【図４】
2006000130.tif 000006
【図５】
2006000130.tif 000007
【図６】
2006000130.tif 000008